(57)【要約】【課題】後方を除く全方向への均一発光を実現して斜め横方向からの被視認性も高めることができるとともに、非点灯時の美観の低下を防ぐことができる車両用灯具を提供すること。【解決手段】ハウジング２とその開口部を覆うアウタレンズ３によって画成された灯室４内に、ＬＥＤ（光源）１２と、反出射面にレンズカット１３が形成された導光レンズ１１を収容し、前記ＬＥＤ１２から前記導光レンズ１１内に入射する光を該導光レンジ１１の長手方向に導く過程で前記レンズカット１３によって光を反射させて出射面１１ｂから出射させることによって当該導光レンズ１１を発光させるポジションランプ（車両用灯具）１０において、前記導光レンズ１１の反出射面に、横断面台形の切欠溝状の凹部１１ｃを形成し、該凹部１１ｃの両内側面を含む内周面全体に前記レンズカット１３を形成する。又、前記導光レンズ１１の前記凹部１１ｃを除く部位の外周面を円筒面とする。【選択図】図４
2019139932.tif 000002
【特許請求の範囲】
【請求項１】
ハウジングとその開口部を覆うアウタレンズによって画成された灯室内に、光源と、反出射面にレンズカットが形成された導光レンズを収容し、前記光源から前記導光レンズ内に入射する光を該導光レンズの長手方向に導く過程で前記レンズカットによって光を反射させて出射面から出射させることによって当該導光レンズを発光させる車両用灯具において、
前記導光レンズの反出射面に、横断面台形の切欠溝状の凹部を形成し、該凹部の両内側面を含む内周面全体に前記レンズカットを形成したことを特徴とする車両用灯具。
【請求項２】
前記導光レンズの前記凹部を除く部位の外周面を円筒面としたことを特徴とする請求項１記載の車両用灯具。
【発明の詳細な説明】
【技術分野】
【０００１】
本発明は、光源からの光によって発光する導光レンズを備える車両用灯具に関するものである。
【背景技術】
【０００２】
例えば、テールランプやポジションランプ等の車両用灯具には、ＬＥＤ（発光ダイオード）等の光源から入射する光を長手方向に導く過程で反射させて出射面から出射させることによって発光する導光レンズを備えるものがあり、斯かる車両用灯具の導光レンズの反出射面には反射用のレンズカットが長手方向に沿って連続的に形成されている。
【０００３】
ところで、導光レンズを備える車両用灯具においては、通常、導光レンズの正面方向に強い光が出射されるように配光が制御されているため、導光レンズの正面方向以外には光が余り拡散されない。このため、歩行者等が正面以外の方向から導光レンズを目視した場合には導光レンズが暗く見え、この導光レンズを備える車両用灯具の被視認性が低下する可能性がある。
【０００４】
そこで、特許文献１には図６に示す車両用灯具が提案されている。
【０００５】
即ち、図６は特許文献１において提案された車両用灯具の縦断面図であり、図示の車両用灯具１１０は、クリアランプランプとして使用されるものであって、ハウジング１０２とその開口部を覆う透明なインナレンズ１０３によって画成された灯室１０４内に、光源である不図示のＬＥＤと、該ＬＥＤからの光によって発光する丸棒状の導光レンズ１１１を収容して構成されている。
【０００６】
上記導光レンズ１１１は、図６の紙面垂直方向に長く配されており、その長手方向一端の不図示の入射面に対向するようにＬＥＤが配置されている。そして、導光レンズ１１１の出射面１１１ａとは反対側の裏面には複数のステップ１１３が長手方向に沿って形成されている。又、導光レンズ１１１の出射面１１１ａ及びステップ１１３が形成された裏面（反出射面）とは異なる外周面の一部は、導光レンズ１１１内を進む光の一部を該導光レンズ１１１の外部に向かって放出する光放出面１１１ｂとされており、この光放出面１１１ｂにはシボ加工等の粗面化処理が施されている。
【０００７】
而して、以上のように構成された車両用灯具１１０においては、不図示のＬＥＤから出射する光は、導光レンズ１１１の長手方向一端の入射面から該導光レンズ１１１の内部に入射し、導光レンズ１１１の内部で全反射を繰り返しながら該導光レンズ１１１の長手方向に沿って進む過程で、導光レンズ１１１に形成されたステップ１１３によって出射面１１１ａに向かって反射し、図６にＬ１，Ｌ２にて示すように、出射面１１１ａから出射し、透明なインナレンズ１０３を通過して車両前方（図６の左方）へと照射される。
【０００８】
又、導光レンズ１１１の内部を長手方向に沿って進む光の一部は、導光レンズ１１１の光放出面１１１ｂから外部へと放出され、その一部は、図６にＬ３，Ｌ４にて示すように、ハウジング１０２の内面に形成された第１反射部１０２ａと第２反射部１０２ｂでそれぞれ反射し、透明なインナレンズ１０３を通過して上方に向かって照射される。
【０００９】
従って、図示の車両用灯具１１０によれば、正面方向だけでなく、上方にも光を照射することができるため、上方向からの被視認性が高められる。
【先行技術文献】
【特許文献】
【００１０】
【特許文献１】特開２０１３−１９１４１２号公報
【発明の概要】
【発明が解決しようとする課題】
【００１１】
しかしながら、特許文献１において提案された図６に示す車両用灯具１１０においては、導光レンズ１１１から斜め横方向には光が出射しないため、全方向への均一発光が実現せず、斜め横方向からの被視認性が悪いという問題がある。又、導光レンズ１１１の裏面（反出射面）に形成されたステップ１１３が外部に露出しているため、このステップ１１３が非点灯時に外部から直接見えてしまい、車両用灯具１１０の非点灯時の美観が損なわれるという問題もある。
【００１２】
本発明は上記問題に鑑みてなされたもので、その目的とする処は、後方を除く全方向への均一発光を実現して斜め横方向からの被視認性も高めることができるとともに、非点灯時の美観の低下を防ぐことができる車両用灯具を提供することにある。
【課題を解決するための手段】
【００１３】
上記目的を達成するため、請求項１記載の発明は、ハウジングとその開口部を覆うアウタレンズによって画成された灯室内に、光源と、反出射面にレンズカットが形成された導光レンズを収容し、前記光源から前記導光レンズ内に入射する光を該導光レンズの長手方向に導く過程で前記レンズカットによって光を反射させて出射面から出射させることによって当該導光レンズを発光させる車両用灯具において、前記導光レンズの反出射面に、横断面台形の切欠溝状の凹部を形成し、該凹部の両内側面を含む内周面全体に前記レンズカットを形成したことを特徴とする。
【００１４】
請求項２記載の発明は、請求項１記載の発明において、前記導光レンズの前記凹部を除く部位の外周面を円筒面としたことを特徴とする。
【発明の効果】
【００１５】
請求項１記載の発明によれば、導光レンズの反出射面に形成された横断面台形の凹部の両内側面を含む内周面全体にレンズカットを形成したため、後方を除く前方と上下方向及び斜め横方向を含む全方向に導光レンズを均一に発光させることができる。又、導光レンズの反出射面に形成された凹部にレンズカットを形成したため、該レンズカットが導光レンズの外部に露出することがなく、このレンズカットが非点灯時に外部から直接見えることがない。このため、車両用灯具の非点灯時の美観がレンズカットによって損なわれることがない。
【００１６】
請求項２記載の発明によれば、導光レンズの凹部を除く部位の外周面を円筒面としたため、導光レンズの凹部が形成された反出射面（裏面）を除く円筒面から光が広い範囲に亘って均一に出射するとともに、僅かな範囲のレンズカットであっても、円筒面による虫眼鏡（凸レンズ）効果によってレンズカットが導光レンズの表面に拡大されて投影され、導光レンズの全体が均一に発光して見える。
【図面の簡単な説明】
【００１７】
【図１】本発明に係る車両用灯具を備えるフロントコンビネーションランプの正面図である。
【図２】図１のＡ−Ａ線断面図である。
【図３】本発明に係る車両用灯具の導光レンズの正面図である。
【図４】図３のＢ−Ｂ線断面図である。
【図５】本発明との比較例を示す導光レンズの横断面図である。
【図６】特許文献１において提案された車両用灯具の縦断面図である。
【発明を実施するための形態】
【００１８】
以下に本発明の実施の形態を添付図面に基づいて説明する。
【００１９】
図１は本発明に係る車両用灯具を備えるフロントコンビネーションランプの正面図、図２は図１のＡ−Ａ線断面図、図３は導光レンズの正面図、図４は図３のＢ−Ｂ線断面図であり、図１に示すフロントコンビネーションランプ１は、自動二輪車の前部左右に配置されるものであって、その基本構成は左右で同じであるため、以下、一方のフロントコンビネーションランプ１についてのみ図示及び説明する。
【００２０】
フロントコンビネーションランプ１は、図１及び図２に示すように、ハウジング２とその前面開口部を覆う透明なアウタレンズ３によって画成された灯室４内の上部にターンシグナルランプ５を収容し、このターンシグナルランプ５の下方に本発明に係るポジションランプ１０を収容して構成されている。尚、図２に示すように、灯室４内には、ターンシグナルランプ５とポジションランプ１０の周囲の隙間を覆うためのエクステンション６が配置されている。
【００２１】
上記ハウジング２は、光不透過性の樹脂によって一体成形されており、その外周縁の全周に亘って形成された凹溝２ａに、光透過性の透明樹脂によって一体成形されたアウタレンズ３の外周縁の脚部３ａを嵌め込み、その嵌め込み部分をホットメルト等の不図示の接着剤によって固定することによって両者の間に前記灯室４が画成されている。
【００２２】
ところで、本発明に係る前記ポジションランプ１０は、正面視くの字状に屈曲する丸棒状の導光レンズ１１と、該導光レンズ１１の半円球状の入射面１１ａに対向するように配置された光源としてのＬＥＤ１２を備えている。ここで、導光レンズ１１は、導光性の高いアクリルやポリカーボネイト等の透明樹脂によって一体成形されており、図４に示すように、その正面側の面は出射面１１ｂを構成している。又、導光レンズ１１の裏面（反出射面）には、横断面台形の切欠溝状の凹部１１ｃが長手方向(図４の紙面垂直方向）に沿って形成されており、該凹部１１ｃの平面状の上面とその両側の斜面状の内側面を含む内周面全体にレンズカット１３が長手方向に沿って連続的に形成されている。
【００２３】
そして、導光レンズ１１の凹部１１ｃが形成された裏面を除く部位の外周面は、図４に示すように、円筒面とされている。
【００２４】
而して、以上のように構成されたポジションランプ１０において、バッテリ等の不図示の電源からＬＥＤ１２に電流が供給されて該ＬＥＤ１２が発光すると、その光は、導光レンズ１１の上端の入射面１１ａから該導光レンズ１１の内部へと入射する。そして、導光レンズ１１の内部へと入射した光は、全反射を繰り返しながら該導光レンズ１１の内部を上端側から下端側に向かって進む過程で、導光レンズ１１の裏面（反出射面）の凹部１１ｃの全内周面に形成されたレンズカット１３によって反射し、図４に矢印にて示すように、導光レンズ１１の凹部１１ｃを除く角度αの広い範囲で出射面１１ｂに向かって進み、円筒状の出射面１１ｂから出射する。そして、導光レンズ１１の出射面１１ｂから出射した光は、図２に示す透明なアウタレンズ３を通過して車両前方（図２の左方）へと照射される。このため、ポジションランプ１０において、導光レンズ１１の全体が均一に発光する。
【００２５】
以上において、本実施の形態においては、導光レンズ１１の裏面（反出射面）に形成された横断面台形の凹部１１ｃの両内側面を含む内周面全体にレンズカット１３を形成したため、後方を除く前方と上下方向及び斜め横方向を含む全方向に導光レンズ１１を均一に発光させることができ、当該ポジションランプ１０の斜め横方向を含む全方向からの被視認性が高められる。
【００２６】
又、導光レンズ１１の裏面（反出射面）に形成された凹部１１ｃにレンズカット１３を形成したため、このレンズカット１３が導光レンズ１１の外部に露出することがなく、このレンズカット１３が非点灯時に外部から直接見えることがない。このため、ポジションランプ１０の非点灯時の美観がレンズカット１３によって損なわれることがない。
【００２７】
更に、本実施の形態では、導光レンズ１１の凹部１１ｃを除く部位の外周面を円筒面としたため、導光レンズ１１の凹部１１ｃが形成された反出射面（裏面）を除く円筒面から光が図４に示す角度αの広い範囲に亘って均一に出射するとともに、僅かな範囲のレンズカット１３であっても、円筒面による虫眼鏡（凸レンズ）効果によってレンズカット１３が導光レンズ１１の表面に拡大されて投影され、導光レンズ１１の全体が均一に発光して見える。因みに、導光レンズ１１の凹部１１ｃが形成された裏面（反出射面）を除く部位の外周を円筒面ではなく、図５の横断面図に示すように、導光レンズ１１の凹部１１ｃに隣接する左右の部位を斜めにカットした平坦な斜面１１ｄとした場合には、凹部１１ｃに形成されたレンズカット１３によって図示の狭い角度βの範囲でしか光を反射させることができず、導光レンズ１１の全体を均一に発光させることができない。
【００２８】
尚、以上は本発明を自動二輪車の前部左右に配置されるフロントコンビネーションランプに設けられたポジションランプに対して適用した形態について説明したが、本発明は、自動車を含む他の車両に設けられるヘッドランプ、リアコンビネーションランプ、ハイマウントストップランプ、ＤＲＬ（Day Running Lamp）等の他の任意の車両用灯具に対しても同様に適用可能であることは勿論である。
【符号の説明】
【００２９】
１        フロントコンビネーションランプ
２        ハウジング
３        アウタレンズ
４        灯室
５        ターンシグナルランプ
６        エクステンション
１０      ポジションランプ（車両用灯具）
１１      導光レンズ
１１ａ    導光レンズの入射面
１１ｂ    導光レンズの出射面
１１ｃ    導光レンズの凹部
１２      ＬＥＤ（光源）
１３      レンズカット
【図１】
2019139932.tif 000003
【図２】
2019139932.tif 000004
【図３】
2019139932.tif 000005
【図４】
2019139932.tif 000006
【図５】
2019139932.tif 000007
【図６】
2019139932.tif 000008